(57)【要約】【課題】小型化を図った直管形蛍光ランプソケットを提供する。【解決手段】ソケット本体１の一端側の前面に口金を装着する受金部２を設けるとともに、他端側の両側面に蛍光ランプの軸方向に沿って器具本体のソケット取付板の側縁が差し込まれる取付溝を夫々形成し、ソケット本体１の前面における受金部２と取付溝との間の部位にソケット本体１前面よりも前方に突出する膨出部１１ａを形成する。また膨出部１１ａに対して受金部２と反対側の部位であって、膨出部１１ａの前面よりも後退した面に電線挿入孔１１ｈを形成し、ソケット本体１の内部に、一端に電線挿入孔１１ｈから挿入される外部電線１００が接続される速結端子部４３を備え他端に受金部２に装着される口金のランプ端子が接続される導電部材４を、速結端子部４３が電線挿入孔１１ｈに臨み、且つ、ソケット本体１の前面よりも前方に位置するようにして収納してある。【選択図】　　　図１
2004022314.tif 000002
【特許請求の範囲】
【請求項１】
両端に口金を有する直管形蛍光ランプの一方の口金が装着される直管形蛍光ランプソケットにおいて、ソケット本体の一端側前面に口金を装着する受金部を設けるとともに、他端側の両側面に蛍光ランプの軸方向に沿って器具本体のソケット取付板の側縁が差し込まれる取付溝をそれぞれ形成し、ソケット本体の前面における受金部と取付溝との間の部位にソケット本体前面よりも前方に突出する膨出部を形成し、ソケット本体における膨出部に対して受金部と反対側の部位であって、膨出部の前面よりも後退した面に電線挿入孔を形成し、ソケット本体の内部に、一端に電線挿入孔から挿入される外部電線が電気的に接続される速結端子部を備え他端に受金部に装着される口金のランプ端子が電気的に接続される導電部材を、速結端子部が電線挿入孔に臨み、且つ、ソケット本体の前面よりも前方に位置するようにして収納したことを特徴とする直管形蛍光ランプソケット。
【請求項２】
前記取付溝を膨出部の前面からソケット本体の後面にかけて形成し、ソケット本体の前面よりも前方に形成された取付溝の間の部位を箱形に形成するとともに、ソケット本体の前面よりも後方に形成された取付溝の間の部位に空間を設けたことを特徴とする請求項１記載の直管形蛍光ランプソケット。
【発明の詳細な説明】
【０００１】
【発明の属する技術分野】
本発明は、直管形蛍光ランプソケットに関し、特に高出力形の直管形蛍光ランプが装着される直管形蛍光ランプソケットに関するものである。
【０００２】
【従来の技術】
この種の直管形蛍光ランプソケットとしては、図７に示すような構造を有するものが従来より提供されている（特開平３−１２７９２６号公報参照）。このランプソケットでは、ソケット本体５０の前面下部に蛍光ランプの口金が挿入される受金部５１が形成されている。また、ソケット本体５０の前面上部には前方に突出する膨出部５２が形成されており、この膨出部５２の前面に外部電線を挿入するための電線挿入孔５３が開口している。そして、ソケット本体５０の内部には、一端に電線挿入孔から挿入される外部電線が電気的且つ機械的に接続される速結端子部５４を備え、他端に受金部５１に挿入される口金のランプ端子が電気的に接続される導電部材５５が収納されている。
【０００３】
【発明が解決しようとする課題】
上記構成の直管形蛍光ランプソケットでは、ソケット本体５０の内部に収納された速結端子部５４の位置が、ソケット本体５０の前面よりも後退しているため、外部電線の挿入スペースをソケット本体５０の後面付近まで設ける必要があり、その結果ソケット本体５０の厚み寸法が大きくなっていた。
【０００４】
また、ソケット本体５０の上部側面には、電線挿入孔５３よりも下側に、照明器具本体に取り付けるための取付溝（図示せず）が前後方向に沿って形成されているが、この取付溝よりも上側の上部構造が全体として１つの箱形に形成されているため、ソケット本体５０の高さ寸法が全体的に大きくなり、近年の照明器具や蛍光ランプの小型化の傾向に逆行して、ランプソケットの厚みや高さが大型化するという問題があった。
【０００５】
本発明は上記問題点に鑑みて為されたものであり、その目的とするところは、小型化を図った直管形蛍光ランプソケットを提供することにある。
【０００６】
【課題を解決するための手段】
上記目的を達成するために、請求項１の発明では、両端に口金を有する直管形蛍光ランプの一方の口金が装着される直管形蛍光ランプソケットにおいて、ソケット本体の一端側前面に口金を装着する受金部を設けるとともに、他端側の両側面に蛍光ランプの軸方向に沿って器具本体のソケット取付板の側縁が差し込まれる取付溝をそれぞれ形成し、ソケット本体の前面における受金部と取付溝との間の部位にソケット本体前面よりも前方に突出する膨出部を形成し、ソケット本体における膨出部に対して受金部と反対側の部位であって、膨出部の前面よりも後退した面に電線挿入孔を形成し、ソケット本体の内部に、一端に電線挿入孔から挿入される外部電線が電気的に接続される速結端子部を備え他端に受金部に装着される口金のランプ端子が電気的に接続される導電部材を、速結端子部が電線挿入孔に臨み、且つ、ソケット本体の前面よりも前方に位置するようにして収納したことを特徴とする。
【０００７】
請求項２の発明では、請求項１の発明において、取付溝を膨出部の前面からソケット本体の後面にかけて形成し、ソケット本体の前面よりも前方に形成された取付溝の間の部位を箱形に形成するとともに、ソケット本体の前面よりも後方に形成された取付溝の間の部位に空間を設けたことを特徴とする。
【０００８】
【発明の実施の形態】
本発明に係る直管形蛍光ランプソケットの一実施形態を図１〜図６に基づいて説明する。尚、以下の説明では特に断りが無い場合、図２中の矢印ａを上側、矢印ｂを下側、矢印ｃを右側、矢印ｄを左側、矢印ｅを前側、矢印ｆを後側として説明を行う。
【０００９】
図２は直管形蛍光ランプソケットＡの分解斜視図であり、このランプソケットＡは、ソケット本体１と、受金部２と、一対の接触金具３，３と、一対の導電部材４，４と、一対のコイルスプリング５，５とで構成される。
【００１０】
ソケット本体１は、合成樹脂成型品からなる前面側のソケットボディ１１と、合成樹脂成型品からなる後面側のソケットカバー１２とを結合して構成される。
【００１１】
ソケットカバー１２は前面が開口した略箱状に形成され、上面の前端部には上側に突出する突台部１２ａが形成され、この突台部１２ａの左右両側部からは弾性を有する係止爪片１２ｂ，１２ｂが前方に向かって突設されている。
【００１２】
ソケットボディ１１は、ソケットカバー１２の開口の大部分を覆う蓋板１１ｂと、蓋板１１ｂの周縁から後方に向かって突設されソケットカバー１２の上面を除く側周面と内接する側部１１ｃとで、上面及び後面が開口した略箱状に形成されている。そして、ソケット本体１の前面を構成する蓋板１１ｂの一端部（下側部）には小判形の窓孔１１ｆが開口し、他端部（上側部）には後面が開口した略箱状であって前方に突出する膨出部１１ａが形成されている。また膨出部１１ａの上部中央には前面が膨出部１１ａの前面よりも後退した箱状の端子収納部１１ｄが形成されており、端子収納部１１ｄの左右両側部には係止爪片１２ｂ，１２ｂが嵌合する係止孔１１ｅ，１１ｅが形成されている。
【００１３】
而して、ソケットボディ１１とソケットカバー１２とを結合する際には、ソケットボディ１１の後面側からソケットカバー１２を挿入すると、ソケットボディ１１の側部１１ｃがソケットカバー１２の内部に挿入されて、ソケットカバー１２の内周面と当接するとともに、係止爪片１２ｂが係止孔１１ｅ内に挿入されて、係止爪片１２ｂの先端に設けた爪１２ｃと係止孔１１ｅの端縁とが係止し、さらに蓋板１１ｂの通孔１１ｊに通した取付ねじ（図示せず）をソケットカバー１２のねじ部（図示せず）に螺合することで、ソケットボディ１１とソケットカバー１２とが結合される。尚、係止爪片１２ｂの爪１２ｃには、後方に行くほど側方への突出量が大きくなるような傾斜面を設けてあるので、ソケットカバー１２をソケットボディ１１に近づけるだけで、係止爪片１２ｂがその弾性によって撓められて、ソケットカバー１２とソケットボディ１１とを容易に結合できるようになっている。
【００１４】
また、ソケットボディ１１の膨出部１１ａには、左右両側面に前後方向に沿って走る取付溝１１ｇがそれぞれ形成され、さらにソケットカバー１２上部の左右両側面には取付溝１１ｇと連続する取付溝１２ｄがそれぞれ形成されており、図３に示すように照明器具９０のソケット取付板９３に設けた凹部９４にソケット本体１を差し込んで、取付溝１１ｇ，１２ｄとソケット取付板９３の側縁とを係合させることで、ソケット本体１がソケット取付板９３に取り付けられる。
【００１５】
一方、受金部２は合成樹脂成型品であって、図１（ａ）（ｂ）及び図２に示すように、前面から見た形状が小判形に形成されている。受金部２はソケットボディ１１の窓孔１１ｆ内に挿入され、前後方向において摺動自在に取り付けられており、上面２ａ及び下面２ｂの後端部には抜け止め用のフランジ部２１が突設されている。受金部２の前面には、１１０Ｗ形の高出力形直管形蛍光ランプのＲ１７ｄタイプの口金が挿入される挿入穴２２が形成されており、この挿入穴２２の底面には角筒部２３を挟んで左右両側にスリット状の収納孔２４がそれぞれ形成されている。また、受金部２の後面には、各収納孔２４にそれぞれ連通する一対の挿入穴２５が形成されており、各挿入穴２５の底面には収納孔２４を挟んで上下両側に接触金具３をガイドするための位置決めリブ２６，２６が２個ずつ後面側に向かって突設されている。尚、図１（ａ）（ｂ）では接触金具３を省略して図示してある。
【００１６】
接触金具３は導電性の良好な板金から略十字形に形成されており、前端部に蛍光ランプのランプ端子に接触する接触部３１を有し、接触部３１を前側にして収納孔２４内に前後動自在に収納されている。尚、接触金具３の左右両側の突出部３２，３２が収納孔２４の開口縁と係止することで、接触金具３の抜け止めが行われる。
【００１７】
また導電部材４は導電性の良好な板金を曲げ加工することによって形成され、断面Ｕ字形の連結部４１の一端に平板状の接続部４２を形成するとともに、連結部４１の他端に外部電線が電気的且つ機械的に接続される速結端子部４３が形成されている。接続部４２の略中央には、接触金具３の後端部に設けた係合部３３が挿入される係合孔４４を貫設してあり、係合孔４４の上下方向に沿う両側縁からは対向する一対の挟持片４５，４５が切り起こしによって形成されている。また速結端子部４３は、当接片４３ａと、切り起こしによって形成された鎖錠片４３ｂとで構成され、鎖錠片４３ｂの先端縁は当接片４３ａに対向し、先端に行くほど電線挿入孔１１ｈから遠ざかる向きに傾斜している。
【００１８】
以下に、このランプソケットの組立方法について説明する。先ず、ソケットボディ１１の窓孔１１ｆに後面側から受金部２を挿入して、受金部２の後面側に開口する挿入穴２５にそれぞれ接触金具３を挿入し、各挿入穴２５の底面に開口する収納孔２４内に接触金具３の前端部を挿入する。次に、導電部材４，４をソケットボディ１１内に挿入し、接続部４２の係合孔４４内に接触金具３の係合部３３を圧入して、各一対の挟持片４５，４５の間に係合部３３を挟持させる。そして、コイルスプリング５の前端部に、係合孔４４を通して後面側に突出する位置決めリブ２６，２６を挿入するとともに、その後端部にソケットカバー１２の底面に立設した位置決め突起１２ｆを挿入した状態で、ソケットボディ１１の後面側からソケットカバー１２を近接させて、ソケットカバー１２の係止爪片１２ｂとソケットボディ１１の係止孔１１ｅとを係止させるとともに、蓋板１１ｂの通孔１１ｊに通した取付ねじをソケットカバー１２のねじ部に螺合することで、ソケットボディ１１とソケットカバー１２とが結合され、ソケット本体１の組立が完了する。
【００１９】
そして、ソケット本体１の組立完了状態において、コイルスプリング５が導電部材４の接続部４２とソケットカバー１２の位置決め突起１２ｆとの間に圧縮状態で保持され、コイルスプリング５のばね力によって導電部材４の接続部４２が前方に付勢されて接触金具３と弾接しており、導電部材４と接触金具３とが電気的に接続される。また、接触金具３の突出部３２が収納孔２４の開口縁と係止することで、接触金具３の抜け止めが図られるとともに、コイルスプリング５のばね力によって受金部２の全体が前方に付勢される。また、各導電部材４の速結端子部４３は、端子収納部１１ｄの前面に開口する電線挿入孔１１ｈに臨むようにして端子収納部１１ｄの裏側に配置され、各速結端子部４３の後面側には、ソケットカバー１２の突台部１２ａに突設された端子保持部１２ｅ，１２ｅが対向配置され、端子収納部１１ｄの裏面と端子保持部１２ｅ，１２ｅとの間に各速結端子部４３，４３が保持される。
【００２０】
ところで、図５（ａ）は照明器具９０に直管形の蛍光ランプ８０を装着した状態の側面図、図５（ｂ）は照明器具９０に蛍光ランプ８０を装着する途中の状態を側方から見た図であり、器具本体９１の下面には、蛍光ランプ８０の口金８１を保持する受金部２が口金８１の挿入方向（前後方向）において移動自在に取着された可動側の上記ランプソケットＡと、口金８１を保持する受金部（図示せず）が固定されたランプソケットＢとが対向配置されている。尚、図中の９２は器具本体９１の下面を覆う器具反射板であり、器具反射板９２は蛍光ランプ８０よりも上側で、ソケット取付板９３よりも下側に配置されている。
【００２１】
而して、照明器具９０に蛍光ランプ８０を装着する際には、図５（ｂ）に示すように、先ず蛍光ランプ８０の一端側の口金８１を可動側のランプソケットＡの受金部２に斜め下側から差し込んで、受金部２をコイルスプリング５のばね力に抗して図中右側に押し込んだ後、蛍光ランプ８０をこじて反対側の口金８１を固定側のランプソケットＢの受金部に差し込むことにより、図５（ａ）に示すように蛍光ランプ８０が照明器具９０に装着される。この時、口金８１に設けた一対のランプ端子（図示せず）が、受金部２の内部に保持された接触金具３，３と弾接し、接触金具３，３に電気的に接続されるので、各速結端子部４３に接続された外部電線とランプ端子との間が接触金具３と導電部材４とを介して電気的に接続される。
【００２２】
ここで、図６に示すように蛍光ランプ８０の着脱時に蛍光ランプ８０の口金８１を受金部２に挿入して、口金８１で受金部２を図中右側に押し込むと、図６中のＤ点（取付溝１１ｇ，１２ｄにおけるソケット本体１の前面に対応する部位）を支点としてソケット本体１を図中左回りに回転させる力が発生するため、取付溝１１ｇの上側部（斜線部Ｃ１）と取付溝１２ｄの下側部（斜線部Ｃ２）とがソケット取付板９３に押し付けられて、これらの部位に荷重がかかる。そこで、本実施形態ではソケット本体１の前面よりも前方に形成された取付溝１１ｇ，１１ｇの間に箱形の端子収納部１１ｄを設けることで、ソケット本体１の強度を高めている。またソケット本体１の前面よりも後方に形成された取付溝１２ｄ，１２ｄの上側部には荷重がかからないので、取付溝１２ｄ，１２ｄの間の部位に空間６を設けることで、ソケット本体１の高さを低くでき、この空間６を例えば送り配線１０２などの配線スペースに利用することもできる。
【００２３】
また、このランプソケットＡに外部電線を接続する場合は、図１（ｂ）に示すように電線挿入孔１１ｈから電線１００の被覆が剥かれた芯線１０１を挿入すると、鎖錠片４３ｂのばね力によって、鎖錠片４３ｂと当接片４３ａとの間に芯線１０１の導体が挟持されると共に、鎖錠片４３ｂの先端縁が芯線１０１の導体に食い込むことによって、芯線１０１の脱落が防止されるようになっている。したがって、電線挿入孔１１ｈに電線１００の被覆が剥かれた芯線１０１を挿入するだけで、芯線１０１が保持されるとともに、導電部材４への電気的接続がなされるのである。
【００２４】
以上説明したように、このランプソケットＡでは、ソケット本体１の一端側の前面に受金部２を設けるとともに、他端側の両側面に蛍光ランプ８０の軸方向に沿ってソケット取付板９３の側縁と係合する取付溝１１ｇ，１２ｄを形成し、ソケット本体１の前面における受金部２と取付溝１１ｇ，１２ｄとの間の部位にソケット本体１前面よりも前方に突出する膨出部１１ａを形成し、この膨出部１１ａに対して受金部２と反対側の部位であって、膨出部１１ａの前面よりも後退した端子収納部１１ｄの前面に電線挿入孔１１ｈを形成し、この電線挿入孔１１ｈに臨み、且つ、ソケット本体１の前面よりも前方に位置するようにして速結端子部４３をソケット本体１の内部に収納しているので、蛍光ランプ８０の上側に配置される器具反射板９２と速結端子部４３との沿面距離を十分確保することができ、図１（ａ）に示すように外部電線１００の挿入が不十分で芯線１０１が露出している場合でも短絡などの事故を発生しにくくできる。
【００２５】
また、１１０Ｗ形の直管形蛍光ランプ用照明器具のように全長の長い照明器具では器具反射板９２の位置が上下方向にずれる可能性があり、図１（ｂ）に示すように器具反射板９２が何らかの理由で上側（蛍光ランプ８０と反対側）に移動して、速結端子部４３に接続された外部電線１００に接触した場合、膨出部１１ａの前面に電線挿入孔１１ｈが形成されていると、外部電線１００が電線挿入孔１１ｈの開口部近傍で曲げられるため、外部電線１００の曲げ代が小さく、外部電線１００が断線したり、速結端子部４３に直接荷重がかかってしまうが、膨出部１１ａの前面よりも後退した端子収納部１１ｄの前面に電線挿入孔１１ｈを形成しているので、外部電線１００の曲げ代を大きくでき、外部電線１００が曲がることで力を吸収して、速結端子部４３に荷重がかかるのを防止できる。また、人の手或いは自動ワイヤリングによって外部電線１００を電線挿入孔１１ｈに挿入する際に、膨出部１１ａの上面によって外部電線１００がガイドされるから、電線の挿入作業を容易に行うことができる。
【００２６】
また更に、速結端子部４３は、ソケット本体１の内部にソケット本体１の前面よりも前方に位置するようにして収納されているので、対向配置されるランプソケットＡ，Ｂ間の寸法を、使用する直管形蛍光ランプの全長で決まる寸法とすることができ、このランプソケットを使用する器具本体の小型化が図れる。
【００２７】
【発明の効果】
上述のように、請求項１の発明は、両端に口金を有する直管形蛍光ランプの一方の口金が装着される直管形蛍光ランプソケットにおいて、ソケット本体の一端側前面に口金を装着する受金部を設けるとともに、他端側の両側面に蛍光ランプの軸方向に沿って器具本体のソケット取付板の側縁が差し込まれる取付溝をそれぞれ形成し、ソケット本体の前面における受金部と取付溝との間の部位にソケット本体前面よりも前方に突出する膨出部を形成し、ソケット本体における膨出部に対して受金部と反対側の部位であって、膨出部の前面よりも後退した面に電線挿入孔を形成し、ソケット本体の内部に、一端に電線挿入孔から挿入される外部電線が電気的に接続される速結端子部を備え他端に受金部に装着される口金のランプ端子が電気的に接続される導電部材を、速結端子部が電線挿入孔に臨み、且つ、ソケット本体の前面よりも前方に位置するようにして収納したことを特徴とし、膨出部の前面に電線挿入孔が形成されている場合は、ソケット取付板と蛍光ランプとの間に配置される器具反射板が何らかの理由で蛍光ランプと反対側に移動して、速結端子部に接続された外部電線に接触すると、外部電線が速結端子部との接続部付近で曲がるため、速結端子部に直接荷重がかるが、膨出部の前面よりも後退した面に電線挿入孔を形成しているので、外部電線の曲げ代を大きくとることができ、外部電線の弾性で速結端子部に加わる荷重を吸収して、速結端子部の破損を防止できる。また、外部電線を電線挿入孔に挿入する際に、膨出部の表面によって外部電線がガイドされるから、電線の接続作業を容易に行うことができる。さらに、膨出部の前面よりも後退した面に電線挿入孔を形成することで、ソケット取付板と蛍光ランプとの間に配置される器具反射板と電線挿入孔との沿面距離を十分確保することができ、外部電線の挿入が不十分で芯線が露出している場合にも短絡などの事故が発生するのを防止できる。また更に、速結端子部は、ソケット本体の内部にソケット本体の前面よりも前方に位置するようにして収納されているので、対向配置されるランプソケットの幅寸法を、使用する直管形蛍光ランプの全長で決まる寸法とすることができ、このランプソケットを使用する器具本体の小型化が図れる。
【００２８】
請求項２の発明は、請求項１の発明において、取付溝を膨出部の前面からソケット本体の後面にかけて形成し、ソケット本体の前面よりも前方に形成された取付溝の間の部位を箱形に形成するとともに、ソケット本体の前面よりも後方に形成された取付溝の間の部位に空間を設けたことを特徴とし、ソケット取付板の側縁と取付溝とを係止させることでソケット本体がソケット取付板に取り付けられているので、ランプ装着時に口金を受金部に押し込むと、取付溝におけるソケット本体の前面に対応する部位を支点としてソケット本体を回転させるような力が発生し、ソケット本体の前面よりも前方に形成された取付溝の上側部と、前面よりも後方に形成された取付溝の下側部とがソケット取付板に押し付けられるのであるが、ソケット本体の前面よりも前方に形成された取付溝の間を箱形に形成することでソケット本体の強度を高めることができ、さらにソケット本体の前面よりも後方に形成された取付溝の間には荷重がかからないので、この部分に空間を設けることで、この空間を送り配線の配線スペースとして利用したり、ソケット本体の高さを低くすることで、Ｈｆ（高周波点灯専用）ランプ等のスリムランプ用の薄型の照明器具を実現できるという効果がある。
【図面の簡単な説明】
【図１】（ａ）（ｂ）は本実施形態の直管形蛍光ランプソケットの側断面図である。
【図２】同上の分解斜視図である。
【図３】同上の外観斜視図である。
【図４】同上を器具本体に取り付けた状態を側方から見た図である。
【図５】（ａ）は照明器具本体に蛍光ランプを装着した状態の側面図、（ｂ）は照明器具本体に蛍光ランプを装着する途中の状態を側方から見た図である。
【図６】同上の使用状態図である。
【図７】従来の蛍光ランプソケットの側断面図である。
【符号の説明】
１　　　ソケット本体
２　　　受金部
４　　　導電部材
１１ａ　膨出部
１１ｈ　電線挿入孔
４３　　速結端子部
１００　外部電線
【図１】
2004022314.tif 000003
【図２】
2004022314.tif 000004
【図３】
2004022314.tif 000005
【図４】
2004022314.tif 000006
【図５】
2004022314.tif 000007
【図６】
2004022314.tif 000008
【図７】
2004022314.tif 000009